(57)【要約】【課題】電源が遮断された際の画質の過度状態を防止できるプラズマディスプレイ装置及び駆動方法を提供する。【解決手段】本発明に係るプラズマディスプレイ装置は、電源の供給遮断を検出して、検出信号を出力する電源遮断検出部と、前記検出信号に応じて、制御信号を出力する制御部と、前記制御信号に応じて、駆動パルスと逆の極性を有する駆動消去電圧を出力する電極駆動部と、電極を含み、前記電極を介して前記駆動消去電圧が印加されるプラズマディスプレイパネルとを備える。これにより、電源が遮断された場合でも、駆動パルスと逆極性の駆動消去電圧が電極に印加されるため、、電源遮断以後、画質の過度状態が生じることを防止でき、結果安定した動作が実現される。【選択図】図４
2006195472.tif 000002
【特許請求の範囲】
【請求項１】
電源の供給遮断を検出して、検出信号を出力する電源遮断検出部と、
前記検出信号に応じて、制御信号を出力する制御部と、
前記制御信号に応じて、駆動パルスと逆の極性を有する駆動消去電圧を出力する電極駆動部と、
電極を含み、前記電極を介して前記駆動消去電圧が印加されるプラズマディスプレイパネルと
を備えることを特徴とするプラズマディスプレイ装置。
【請求項２】
前記制御信号に応じて、前記電極駆動部に前記駆動消去電圧を出力させるためのロジック信号を出力するロジック信号部をさらに備えることを特徴とする請求項１に記載のプラズマディスプレイ装置。
【請求項３】
前記駆動パルスは、サステインパルスであることを特徴とする請求項１に記載のプラズマディスプレイ装置。
【請求項４】
前記駆動消去電圧のレベルは、アドレス期間に前記電極に印加されるスキャンパルスの電圧のレベルと同じであることを特徴とする請求項１に記載のプラズマディスプレイ装置。
【請求項５】
前記駆動消去電圧は、負極性であることを特徴とする請求項１に記載のプラズマディスプレイ装置。
【請求項６】
前記電源遮断検出部は、電源遮断後、４０ｍｓ以内に電源の供給遮断を検出することを特徴とする請求項１に記載のプラズマディスプレイ装置。
【請求項７】
前記電源遮断検出部は、
前記電源を第１ＤＣ電圧に変換する第１電源段と、前記第１ＤＣ電圧を第２ＤＣ電圧に変換する変圧器と、前記第２ＤＣ電圧を駆動電圧に変換する第２電源段と、前記電源の遮断時、前記検出信号を出力する電源感知部とを含むことを特徴とする請求項１に記載のプラズマディスプレイ装置。
【請求項８】
前記電源感知部は、フォトカプラーを含み、
前記フォトカプラーは、前記電源が遮断された際、ロー（Low）レベルの検出信号を出力することを特徴とする請求項７に記載のプラズマディスプレイ装置。
【請求項９】
前記電源遮断検出部は、
サステインパルスのピック電圧を分配する電圧分配部と、該電圧分配部の出力電圧を直流電圧に変換することで前記検出信号を生成するコンバータとを含むことを特徴とする請求項１に記載のプラズマディスプレイ装置。
【請求項１０】
電極を含むプラズマディスプレイ装置の駆動方法において、
電源が遮断されたか否かを判断するステップと、
電源が遮断された際、検出信号を出力するステップと、
前記検出信号に応じて、制御信号を出力するステップと、
前記制御信号に応じて、駆動パルスを消去させる駆動消去電圧を印加するステップと
を含むことを特徴とするプラズマディスプレイ装置の駆動方法。
【請求項１１】
前記制御信号に応じて、前記駆動消去電圧を出力させるためのロジック信号を出力するステップをさらに含むことを特徴とする請求項１０に記載のプラズマディスプレイ装置の駆動方法。
【請求項１２】
前記駆動消去電圧の極性は、前記駆動パルスの極性と逆の極性であることを特徴とする請求項１０に記載のプラズマディスプレイ装置の駆動方法。
【請求項１３】
前記駆動パルスは、サステインパルスであることを特徴とする請求項１０に記載のプラズマディスプレイ装置の駆動方法。
【請求項１４】
前記駆動消去電圧のレベルは、アドレス期間にスキャン電極に印加されるスキャンパルスの電圧のレベルと同じであることを特徴とする請求項１０に記載のプラズマディスプレイ装置の駆動方法。
【請求項１５】
前記駆動消去電圧は、負極性であることを特徴とする請求項１０に記載のプラズマディスプレイ装置の駆動方法。
【請求項１６】
前記検出信号は、電源遮断後、４０ｍｓ以内に出力されることを特徴とする請求項１０に記載のプラズマディスプレイ装置の駆動方法。
【請求項１７】
前記電源が遮断されたか否かは、電源の電圧レベルの変化を利用して検出されることを特徴とする請求項１０に記載のプラズマディスプレイ装置の駆動方法。
【請求項１８】
前記電源が遮断されたか否かは、前記駆動パルスの電圧レベルの変化を利用して検出されることを特徴とする請求項１０に記載のプラズマディスプレイ装置の駆動方法。
【請求項１９】
前記駆動消去電圧のレベルは、アドレス期間に前記電極に印加されるスキャンパルスの電圧のレベルと同じであることを特徴とする請求項１０に記載のプラズマディスプレイ装置の駆動方法。
【発明の詳細な説明】
【技術分野】
【０００１】
本発明は、プラズマディスプレイ装置及びその駆動方法に関する。
【背景技術】
【０００２】
図１は、通常のプラズマディスプレイパネルの構造を示した図である。図１に示しているように、通常のプラズマディスプレイパネルは、前面パネル１００と後面パネル１１０とからなる。前面パネル１００は、前面ガラス基板１０１を含み、後面パネル１１０は、後面ガラス基板１１１を含む。前面パネル１００と後面パネル１１０とは、一定距離を置いて平行に結合される。
【０００３】
前面ガラス基板１０１上には、相互放電によりセルの発光を維持するための維持電極対が形成される。維持電極対は、スキャン電極１０２とサステイン電極１０３とからなる。スキャン電極１０２とサステイン電極１０３のそれぞれは、透明なＩＴＯ物質からなる透明電極１０２ａ，１０３ａと金属材質からなるバス電極１０２ｂ，１０３ｂとからなる。スキャン電極１０２は、スキャンのためのスキャンパルスと放電維持のためのサステインパルスとを受け取る。サステイン電極１０３は、主にサステインパルスを受け取る。上部誘電体層１０４は、維持電極対の上部に形成され、放電電流を制限し、かつ電極間を絶縁させる。保護層１０５は、上部誘電体層１０４の上面に形成されている。また、保護層１０５は、放電条件を容易にするために、酸化マグネシウム（ＭｇＯ）からなる。
【０００４】
後面ガラス基板１１１上には、維持電極対と交差するように、アドレス電極１１３が形成される。下部誘電体層１１５は、アドレス電極１１３の上部に形成され、アドレス電極１１３の間を絶縁させる。隔壁１１２は、下部誘電体層１１５上に形成され、放電セルを区画する。蛍光層１１４は、隣り合う２つの隔壁１１２間に塗布されており、可視光線を放出する。
【０００５】
前面ガラス基板１０１と後面ガラス基板１１１とは、シーリング材（sealing material）により合着される。ヘリウム（Ｈｅ）、ネオン（Ｎｅ）、キセノン（Ｘｅ）などのような不活性ガスは、排気工程が行われた後、プラズマディスプレイパネルの内部に注入される。
【０００６】
通常のプラズマディスプレイパネルには、駆動装置から駆動パルス及び様々な制御信号が供給される。プラズマディスプレイ装置は、プラズマディスプレイパネルと駆動装置とを含む。
【０００７】
図２は、通常のプラズマディスプレイパネルの駆動波形を示した図である。図２に示しているように、通常のプラズマディスプレイパネルの駆動期間は、リセット期間、アドレス期間、サステイン期間及び消去期間に分けられる。
【０００８】
リセット期間は、セットアップ期間とセットダウン期間とに区分される。セットアップ期間には、全てのスキャン電極に立ち上がりランプパルスＲａｍｐ‐ｕｐが同時に印加される。立ち上がりランプパルスＲａｍｐ‐ｕｐにより、放電セル内で暗放電（Dark Discharge）が起きる。この暗放電により、アドレス電極とサステイン電極との上に正極性壁電荷が蓄積され、スキャン電極上に負極性の壁電荷が蓄積される。
【０００９】
セットダウン期間には、グラウンドレベル電圧ＧＮＤ以下である所定の電圧レベルまで低下する立下りランプパルスＲａｍｐ‐ｄｏｗｎによって、スキャン電極に過度に形成された壁電荷が消去される。これをセットダウン放電と言う。このセットダウン放電により、壁電荷が複数の放電セル内に均一に残留する。
【００１０】
アドレス期間には、負極性スキャンパルスＳｃａｎがスキャン電極に順次印加され、アドレス電極に正極性電圧Ｖａのアドレスパルスが印加される。スキャンパルスとアドレスパルスとの電位差に、リセット期間に生成された壁電圧が加算されることで、アドレス放電が発生する。サステイン電極には、スキャン電極との電位差が減少することでスキャン電極との間で誤放電が発生することを回避するために、正極性電圧Ｖｚが供給される。
【００１１】
サステイン期間には、スキャン電極とサステイン電極とに交互にサステインパルスｓｕｓが印加される。これにより、アドレス放電により選択されたセルでは、サステイン放電が起きる。サステインパルスｓｕｓのピック電圧レベルは、サステイン電圧Ｖｓである。
【００１２】
サステイン放電が完了した後、消去期間では、ランプ波形Ｒａｍｐ‐ｅｒｓの電圧がサステイン電極に供給されて、放電セル内に残留する壁電荷が消去される。
【００１３】
なお、通常のプラズマディスプレイパネルが駆動する過程では、電源の供給が遮断されても、駆動パルスが印加され続ける。
【００１４】
図３は、通常のプラズマディスプレイパネルに供給される電源が遮断された後、継続して印加される駆動パルスを説明するための波形図である。図３に示しているように、スキャン電極Ｙに印加されるサステインパルスは、ＡＣ電源遮断後、不安定となった状態で持続的に印加される。すなわち、ＡＣ電源が遮断された以後、ピック電圧がサステイン電圧Ｖｓより小さな電圧Ｖ１である不安定なサステインパルスが持続的に印加される。図３では、スキャン電極Ｙに印加されるサステインパルスのみを示したが、サステイン電極及びアドレス電極に印加される駆動パルスもまた、ＡＣ電源遮断後、不安定となった状態で持続的に印加される。
【００１５】
ＡＣ電源が遮断された後、不安定となった状態で持続的に印加されるサステインパルス及び残留壁電荷は、ＡＣ電源遮断の際に画質の過度状態を誘発してしまう場合がある。すなわち、充分なレベルのサステイン電圧Ｖｓが供給されない状態でサステインパルスを供給する駆動装置に印加されるロジック信号によって、画質の品位が低下するという問題が発生する。
【００１６】
また、ＡＣ電源の供給が開始する時、駆動装置の誤作動により、駆動装置または電源回路が破損するという問題も発生する。
【発明の開示】
【発明が解決しようとする課題】
【００１７】
本発明は、上記従来の問題点を解決するためになされたものであって、その目的は、電源が遮断された際の画質の過度状態を防止できるプラズマディスプレイ装置及び駆動方法を提供することにある。
【００１８】
また、本発明の他の目的は、駆動装置または電源回路の焼損の防止が可能なプラズマディスプレイ装置及び駆動方法を提供することにある。
【００１９】
さらに、本発明の他の目的は、安定した動作の実現が可能なプラズマディスプレイ装置及び駆動方法を提供することにある。
【課題を解決するための手段】
【００２０】
そこで、上記目的を達成するため、本発明の実施形態に係るプラズマディスプレイ装置は、電源の供給遮断を検出して、検出信号を出力する電源遮断検出部と、前記検出信号に応じて、制御信号を出力する制御部と、前記制御信号に応じて、駆動パルスと逆の極性を有した駆動消去電圧を出力する電極駆動部と、電極を含み、前記電極を介して前記駆動消去電圧が印加されるプラズマディスプレイパネルとを備える。
【００２１】
また、本発明の実施形態に係るプラズマディスプレイ装置の駆動方法は、電源が遮断されたか否かを判断するステップと、電源が遮断された際、検出信号を出力するステップと、前記検出信号に応じて、制御信号を出力するステップと、前記制御信号に応じて、駆動パルスを消去させる駆動消去電圧を印加するステップとを含む。
【発明の効果】
【００２２】
本発明に係るプラズマディスプレイ装置及び駆動方法は、駆動消去電圧を印加することによって、電源遮断後の画質の過度状態を防止できる。
【００２３】
また、本発明に係るプラズマディスプレイ装置及び駆動方法は、駆動消去電圧を印加することによって、駆動装置または電源回路の焼損を防止できる。
【００２４】
さらに、本発明に係るプラズマディスプレイ装置及び駆動方法は、駆動消去電圧を印加することによって、安定した動作を実現できる。
【発明を実施するための最良の形態】
【００２５】
以下、添付の図面に基づいて本発明の好適な実施形態を詳述する。
【００２６】
本発明の一実施形態に係るプラズマディスプレイ装置は、電源の供給遮断を検出して、検出信号を出力する電源遮断検出部と、前記検出信号に応じて、制御信号を出力する制御部と、前記制御信号に応じて、駆動パルスと逆の極性を有した駆動消去電圧を出力する電極駆動部と、電極を含み、前記電極を介して前記駆動消去電圧が印加されるプラズマディスプレイパネルとを備える。
【００２７】
前記制御信号に応じて、前記電極駆動部に前記駆動消去電圧を出力させるためのロジック信号を出力するロジック信号部をさらに備えることができる。
【００２８】
前記駆動パルスは、サステインパルスであり得る。
【００２９】
前記駆動消去電圧のレベルは、アドレス期間に前記電極に印加されるスキャンパルスの電圧のレベルと同じであり得る。
【００３０】
前記駆動消去電圧は、負極性であり得る。
【００３１】
前記電源遮断検出部は、電源遮断後、４０ｍｓ以内に電源の供給遮断を検出することが好ましい。
【００３２】
前記電源遮断検出部は、前記電源を第１ＤＣ電圧に変換する第１電源段と、前記第１ＤＣ電圧を第２ＤＣ電圧に変換する変圧器と、前記第２ＤＣ電圧を駆動電圧に変換する第２電源段と、前記電源の遮断時、前記検出信号を出力する電源感知部とを含むことができる。
【００３３】
前記電源感知部は、フォトカプラーを含み、前記フォトカプラーは、前記電源が遮断された際、例えばロー（Low）レベルの検出信号を出力する。
【００３４】
前記電源遮断検出部は、サステインパルスのピック電圧を分配する電圧分配部と、該電圧分配部の出力電圧を直流電圧に変換することで前記検出信号を生成するコンバータとを含むことができる。
【００３５】
本実施形態に係るプラズマディスプレイ装置の駆動方法は、電源が遮断されたか否かを判断するステップと、電源が遮断された際、検出信号を出力するステップと、前記検出信号に応じて、制御信号を出力するステップと、前記制御信号に応じて、駆動パルスを消去させる駆動消去電圧を印加するステップとを含む。
【００３６】
前記制御信号に応じて、前記駆動消去電圧を出力させるためのロジック信号を出力するステップをさらに含むことができる。
【００３７】
前記駆動消去電圧の極性は、前記駆動パルスの極性と逆の極性であり得る。
【００３８】
前記駆動パルスは、サステインパルスであり得る。
【００３９】
前記駆動消去電圧のレベルは、アドレス期間にスキャン電極に印加されるスキャンパルスの電圧のレベルと同じであり得る。
【００４０】
前記駆動消去電圧は、負極性であり得る。
【００４１】
電源遮断後、４０ｍｓ以内で前記検出信号を出力することが好ましい。
【００４２】
前記電源が遮断されたか否かは、電源の変化を利用して検出することができる。
【００４３】
前記電源が遮断されたか否かは、前記駆動パルスの変化を利用して検出することができる。
【００４４】
前記駆動消去電圧のレベルは、アドレス期間に前記電極に印加されるスキャンパルスの電圧のレベルと同じであり得る。
【００４５】
図４は、本実施形態に係るプラズマディスプレイ装置のブロック図である。図４に示しているように、本実施形態に係るプラズマディスプレイ装置は、電源遮断検出部４１０、制御部４２０、ロジック信号部４３０、電極駆動部４４０及びプラズマディスプレイパネル４５０を含む。
【００４６】
電源遮断検出部４１０は、プラズマディスプレイパネル４５０に供給される電源の遮断を検出して、検出信号を出力する。
【００４７】
制御部４２０は、電源遮断検出部４１０から出力された検出信号に応じて、ロジック信号を制御するための制御信号を出力する。
【００４８】
ロジック信号部４３０は、制御部４２０から出力された制御信号に応じて、ロジック信号を出力する。
【００４９】
電極駆動部４４０は、ロジック信号部４３０から出力されたロジック信号に応じて、駆動パルスを消去させるための駆動消去電圧を出力する。駆動消去電圧は、駆動パルスと逆の極性を有し、ＡＣ電源が遮断された後、サステインパルスと共に各電極に適宜印加される。本実施形態での駆動パルスは、サステイン放電を維持するためのサステインパルスであり、駆動消去パルスは、サステインパルスと逆の極性を有するサステイン消去電圧である。
【００５０】
プラズマディスプレイパネル４５０は、電極を含み、電極を介して電極駆動部４４０からサステイン消去電圧が印加される。
【００５１】
本実施形態では、駆動パルスにより形成された残留壁電荷が、電極駆動部４４０から印加される駆動消去電圧により除去される。駆動消去電圧によって残留壁電荷が除去されることによって、電源遮断後、プラズマディスプレイ装置が安定化して、画質の過度状態及び駆動装置または電源回路の焼損が防止される。
【００５２】
図５は、本実施形態に係る電源遮断検出部の一例を示した図である。図５に示しているように、電源遮断検出部４１０の第１電源段（primary power stage）４１１は、外部のＡＣ電源から供給されたＡＣ電圧を第１ＤＣ電源に変換する。電源遮断検出部４１０の変圧器４１３は、第１ＤＣ電圧を適正レベルの第２ＤＣ電圧に変換する。第２電源段（secondary powerstage）４１５は、第２ＤＣ電圧をプラズマディスプレイパネルの駆動に必要な電圧に変換する。電源感知部４１７は、ＡＣ電源の遮断を感知するための構成であって、ＡＣ電源の遮断を感知した場合、検出信号を図４の制御部４２０に出力する。本実施形態での電源感知部４１７は、フォトカプラー（Photo Coupler）を含む。電源感知部４１７のフォトカプラーは、ＡＣ電源の供給に応じて、抵抗Ｒ０によって降下された第２電源段（secondary power stage）４１５の出力を制御部４２０に出力する。ＡＣ電源が遮断されている場合、電源感知部４１７のフォトカプラーは、ローレベルの検出信号を出力する。
【００５３】
図６（ａ）及び図６（ｂ）は、電源遮断前後のサステインパルスの波形変化を示した図である。図６（ａ）に示しているように、電源が供給されている場合、サステイン電圧Ｖｓからグラウンドレベルの電圧ＧＮＤまで降下する際のサステインパルスの波形は、比較的緩やかである。一方、電源が遮断されている場合、電極には、図３で説明したような不安定なサステインパルスが印加される。すなわち、図６（ｂ）に示しているように、ピック電圧がサステイン電圧Ｖｓより小さな電圧Ｖ１を有した不安定なサステインパルスが持続的に印加される。また、不安定なサステインパルスのピック電圧Ｖ１からグラウンドレベルの電圧ＧＮＤまでの電圧下降が瞬間的に行われる。
【００５４】
図７は、本実施形態に係る電源遮断検出部の他の一例を示した図である。本例による電源遮断検出部は、図６（ｂ）のような不安定なサステインパルスの瞬間的な電圧変化を感知することによって、電源遮断を検出する。本例による電源遮断検出部は、電圧分配部７１０及びコンバータ７２０を含む。
【００５５】
電圧分配部７１０は、サステインパルスのピック電圧ＶｓまたはＶ１を分配するための複数個の抵抗Ｒ１，Ｒ２，Ｒ３を含む。複数個の抵抗Ｒ１，Ｒ２，Ｒ３は、図７のように、直列に接続され得る。複数個の抵抗Ｒ１，Ｒ２，Ｒ３が直列に接続された構成を有する電圧分配部７１０の出力電圧Ｖｏは、Ｒ３に印加された電圧である。
【００５６】
コンバータ７２０は、電圧分配部７１０の出力電圧Ｖｏを直流電圧に変換することで検出信号を生成し、これを図４の制御部４２０に出力する。
【００５７】
すなわち、電源が遮断されて不安定なサステインパルスが印加され始めると、コンバータ７２０は、電圧分配部７１０の出力電圧Ｖｏが瞬間的に変化したことを検出し、検出信号を生成して、これを図４の制御部４２０に出力する。コンバータ７２０は、例えば１０ｍｓ以下の時間ごとに、出力電圧Ｖｏの変化をチェックする。
【００５８】
図５及び図７の電源遮断検出部は、電源遮断の時、４０ｍｓ内に電源遮断を検出することが好ましい。
【００５９】
次に、図４と図８を参照して、本実施形態に係るプラズマディスプレイ装置の駆動方法を詳細に説明する。
【００６０】
図８は、本実施形態に係るプラズマディスプレイ装置の駆動方法を説明するためのフローチャートである。
【００６１】
まず、電源遮断検出部４１０は、プラズマディスプレイパネル４５０に供給される電源が遮断されたか否かを判断する（Ｓ８１０）。電源遮断検出部４１０は、外部から供給されるＡＣ電源の変化を直接的に検出するように構成されることも、サステインパルスの変化を利用してＡＣ電源の変化を検出するように構成されることもできる。
【００６２】
電源遮断検出部４１０は、電源が遮断されたと判断した場合、検出信号を制御部４２０に出力する（Ｓ８２０）。
【００６３】
制御部４２０は、電源遮断検出部４１０から出力された検出信号に応じて、ロジック信号を制御するための制御信号をロジック信号部４３０に出力する（Ｓ８３０）。
【００６４】
ロジック信号部４３０は、制御部４２０から出力された制御信号に応じて、ロジック信号を電極駆動部４４０に出力する（Ｓ８４０）。
【００６５】
電極駆動部４４０は、ロジック信号部４３０から出力されたロジック信号に応じて、駆動パルスを消去させるための駆動消去電圧を印加する。駆動消去電圧は、駆動パルスの極性と逆の極性を有する。
【００６６】
図９（ａ）は、電源がサステイン期間内に遮断された時の、本実施形態に係るプラズマディスプレイ装置の動作にともなう駆動波形を示した図である。図９（ｂ）は、電源がリセット期間またはアドレス期間内に遮断された時の、本実施形態に係るプラズマディスプレイ装置の動作にともなう駆動波形を示した図である。
【００６７】
図９（ａ）に示しているように、電源がサステイン期間内に遮断された場合、本実施形態に係るプラズマディスプレイ装置の動作によって、駆動消去電圧が電極に印加される。本実施形態では、駆動パルスであるサステインパルスが正極性を有する場合を例に挙げているので、負極性を有する駆動消去電圧を用いている。負極性の駆動消去電圧が電極に印加されるに伴い、電源が遮断された以後に現れる不安定なサステインパルスが消去される。
【００６８】
また、図９（ｂ）に示しているように、電源がリセット期間またはアドレス期間内に遮断された場合、本実施形態に係るプラズマディスプレイ装置の動作に応じて、駆動消去電圧が電極に印加される。
【００６９】
負極性の駆動消去電圧が電極に印加されるに伴い、電源が遮断された以後に現れる不安定なサステインパルスが消去されるため、残留壁電荷を消去できる。このように、本実施形態では、駆動消去電圧の印加によって不安定なサステインパルスが消去されて残留壁電荷が消去されるため、駆動装置または電源回路の焼損を防止でき、プラズマディスプレイ装置の安定した動作が可能となる。
【００７０】
図９（ａ）及び図９（ｂ）に示しているように、図４の電極駆動部４４０が印加する駆動消去電圧の大きさが、アドレス期間においてスキャン電極に印加されるスキャンパルスの大きさ‐Ｖｙと同じである場合、電極駆動部４４０の回路構成を簡素化することができる。
【００７１】
なお、本発明は、上記の実施の形態に限定されるものではなく、本発明に係る技術的思想から逸脱しない範囲内で様々な変更が可能であり、それらも本発明の技術的範囲に属する。
【図面の簡単な説明】
【００７２】
【図１】通常のプラズマディスプレイパネルの構造を示した図である。
【図２】通常のプラズマディスプレイパネルの駆動波形を示した図である。
【図３】通常のプラズマディスプレイパネルに供給される電源が遮断された後、続いて印加される駆動パルスを説明するための波形図である。
【図４】本発明の一実施形態に係るプラズマディスプレイ装置のブロック図である。
【図５】本発明の一実施形態に係る電源遮断検出部の一例を示した図である。
【図６】（ａ）は電源遮断前後のサステインパルスの波形変化を示した図であり、（ｂ）は電源遮断前後のサステインパルスの波形変化を示した図である。
【図７】本発明の一実施形態に係る電源遮断検出部の他の一例を示した図である。
【図８】本発明の一実施形態に係るプラズマディスプレイ装置の駆動方法を説明するためのフローチャートである。
【図９】（ａ）は電源がサステイン期間内に遮断された時の本発明の一実施形態に係るプラズマディスプレイ装置の動作にともなう駆動波形を示した図であり、（ｂ）は電源がリセット期間またはアドレス期間内に遮断された時の本発明の一実施形態に係るプラズマディスプレイ装置の動作にともなう駆動波形を示した図である。
【符号の説明】
【００７３】
１００  前面パネル
１０１  前面ガラス基板
１０２  スキャン電極（Ｙ）
１０２ａ、１０３ａ  透明電極
１０２ｂ、１０３ｂ  バス電極
１０３  サステイン電極
１０４  上部誘電体層
１０５  保護層
１１０  後面パネル
１１１  後面ガラス基板
１１２  隔壁
１１３  アドレス電極
１１４  蛍光層
１１５  下部誘電体層
４１０  電源遮断検出部
４１１  第１電源段
４１３  変圧器
４１５  第２電源段
４１７  電源感知部
４２０  制御部
４３０  ロジック信号部
４４０  電極駆動部
４５０  プラズマディスプレイパネル
７１０  電圧分配部
７２０  コンバータ
Ｒ０、Ｒ１、Ｒ２、Ｒ３  抵抗
Ｒａｍｐ−ｄｏｗｎ  立下りランプパルス
Ｒａｍｐ−ｕｐ  立ち上がりランプパルス
Ｒａｍｐ−ｅｒｓ  ランプ波形
Ｓｃａｎ  負極性スキャンパルス
ｓｕｓ  サステインパルス
Ｖ１  電圧
Ｖａ、Ｖｚ  正極性電圧
Ｖｏ  出力電圧
Ｖｓ  サステイン電圧
【図１】
2006195472.tif 000003
【図２】
2006195472.tif 000004
【図３】
2006195472.tif 000005
【図４】
2006195472.tif 000006
【図５】
2006195472.tif 000007
【図６】
2006195472.tif 000008
【図７】
2006195472.tif 000009
【図８】
2006195472.tif 000010
【図９】
2006195472.tif 000011